【手続補正書】
【提出日】平成25年7月23日(2013.7.23)
【手続補正１】
【補正対象書類名】特許請求の範囲
【補正対象項目名】全文
【補正方法】変更
【補正の内容】
【特許請求の範囲】
【請求項１】
体の管腔を処置する装置であって、
近位端、体の管腔内への導入のためのサイズを有する遠位端、並びに、前記近位端及び前記遠位端の間で延びる第１内腔、を有する外側部材と、
前記外側部材の遠位端に固定される近位端、及び、出口を備える遠位端、を備える拡張可能なバルーンであって、前記第１内腔及び当該バルーンの出口と連通する内部を備えるバルーンと、
前記第１内腔内にスライド移動可能に配置される内側部材であって、前記外側部材の近位端に隣接する近位端、及び、前記バルーンの出口から延びる遠位端、を備える内側部材と、
前記内側部材の遠位端上のシール部材であって、前記第１内腔を通って導入された流体が前記バルーンの内部を通って前記バルーンの出口から流出するように当該シール部材が前記バルーンの出口から間隔を空けて配置される第１位置と、前記第１内腔を通って導入された流体が、前記バルーンを拡張させるために前記バルーンの内部に流入するように当該シール部材が前記バルーンの出口を実質的にシールする第２位置と、の間で前記内側部材が移動可能である、シール部材と、
前記バルーンの遠位端内のばね止めと前記内側部材の遠位端との間で、前記第２位置に向かって前記内側部材を付勢するためのばね要素と、を備えることを特徴とする装置。
【請求項２】
請求項１に記載の装置において、前記外側部材の近位端上のハンドルと、前記バルーンの出口を開放するために前記第２位置から前記第１位置に前記内側部材を案内するための前記ハンドル上のアクチュエータと、をさらに備えることを特徴とする装置。
【請求項３】
請求項２に記載の装置において、前記ばね要素は、前記アクチュエータが解放された時に前記第１位置から前記第２位置に前記内側部材を自動的に案内するために付勢されることを特徴とする装置。
【請求項４】
請求項２に記載の装置において、前記アクチュエータは、前記第２位置から前記第１位置に前記内側部材を案内するために前記ばね要素の付勢力を克服するように構成されていることを特徴とする装置。
【請求項５】
請求項２に記載の装置において、前記内側部材は、細長部材を受け入れる前記内側部材の近位端及び遠位端の間で延びる第２内腔を備えており、前記ハンドルは、前記第２内腔に受け入れられた細長部材の一部を固定するために前記ハンドルの外面上に保持装置を備えることを特徴とする装置。
【請求項６】
請求項１に記載の装置において、前記内側部材の遠位端は、前記内側部材が前記第１位置にある時に前記バルーンの内部から前記バルーンの出口を通って流体を運搬するために前記内側部材と前記バルーンの出口との間に環状内腔が画定されるように、前記バルーンの出口よりも小さい断面を有することを特徴とする装置。
【請求項７】
請求項１に記載の装置において、前記内側部材は、前記外側部材の近位端から前記バルーンの内部内に流体を運搬するために前記内側部材と前記外側部材との間に環状内腔が画定されるように、前記第１内腔よりも小さい断面を有することを特徴とする装置。
【請求項８】
請求項１に記載の装置において、前記バルーンは、前記バルーンの遠位端から遠位に延びる遠位先端を備えており、前記遠位先端は、前記出口のシールを容易にするために前記内側部材が前記第２位置にある時に前記シール部材と前記遠位先端との間の表面接触を最大化するように構成されていることを特徴とする装置。
【請求項９】
請求項１に記載の装置において、前記シール部材は、テーパ形状の近位端を備えており、前記バルーンは、前記バルーンの遠位端から遠位に延びる遠位先端を備えており、前記遠位先端は、前記シール部材の前記テーパ形状の近位端を内部に受け入れるために前記バルーンから外側に離れて広がるために偏向されることを特徴とする装置。
【請求項１０】
請求項１に記載の装置において、前記シール部材は、テーパ形状の近位端を備えており、前記バルーンは、前記バルーンの遠位端から遠位に延びる遠位先端を備えており、前記遠位先端は、前記第２位置で前記シール部材の前記テーパ形状の近位端を内部に受け入れるために前記遠位先端が弾性的に拡張するように可撓性材料を備えることを特徴とする装置。
【請求項１１】
請求項１０に記載の装置において、前記遠位先端は、前記シール部材を前記バルーンの出口から離れるように移動させるために前記第２位置から前記第１位置に前記内側部材が案内される時にその原形のサイズに向かって弾性的に復帰するように構成されることを特徴とする装置。
【請求項１２】
請求項１に記載の装置において、前記内側部材は、前記シール部材を越えて前記内側部材の遠位端から遠位に延びる湾曲した遠位先端を備えており、前記遠位先端は、細長部材が前記内側部材及び前記遠位先端を通って導入される時に前記遠位先端がほぼ真っ直ぐにされるように弾性的に可撓性を有しており、前記遠位先端は、前記細長部材が前記遠位先端から移動させられる時にその湾曲した形状に向かって弾性的に復帰することを特徴とする装置。
【請求項１３】
請求項１に記載の装置において、前記バルーンの遠位端と前記第２位置の前記シール部材との間の摩擦を低減するために前記バルーンの遠位端の少なくとも一部の内面上に被覆をさらに備えることを特徴とする装置。
【請求項１４】
請求項１に記載の装置において、前記シール部材は、前記内側部材の遠位端から延びる円錐頭を備えており、前記円錐頭は、傾斜した遠位先端を有することを特徴とする装置。
【請求項１５】
体の管腔を処置する装置であって、
近位端、体の管腔内への導入のためのサイズを有する遠位端、並びに、前記近位端及び前記遠位端の間で延びる第１内腔、を有する外側部材と、
前記外側部材の遠位端に固定される近位端、及び、出口を備える遠位端、を備える拡張可能バルーンであって、前記第１内腔及び前記バルーンの出口と連通する内部を備える拡張可能なバルーンと、
前記第１内腔内にスライド移動可能に配置された内側部材であって、前記外側部材の近位端に隣接する近位端、及び、前記バルーンの出口から延びる遠位端、を備える内側部材と、
前記内側部材の遠位端上のシール部材であって、前記第１内腔を通って導入された流体が前記バルーンの内部を通って前記バルーンの出口から流出するように当該シール部材が前記バルーンの出口から間隔を空けて配置される第１位置と、前記第１内腔を通って導入された流体が、前記バルーンを拡張させるために前記バルーンの内部に流入するように当該シール部材が前記バルーンの出口を実質的にシールする第２位置と、の間で前記内側部材が移動可能である、シール部材と、
前記バルーン内で前記内側部材に固定される中間部分、前記中間部材から近位に延びる近位部分、及び、前記中間部分から遠位に延びる遠位部分、を備えるばね要素であって、前記遠位部分が前記バルーンの遠位端に結合されており、それによって、前記第２位置に向かって前記内側部材を付勢する、ばね要素と、
前記外側部材の遠位端に結合された第１端及び前記ばね要素の前記近位部分に結合された第２端を備える螺旋部材であって、前記螺旋部材は、前記バルーンの内部内で前記内側部材周りに螺旋状に延び、前記内側部材は、半径方向外側に前記螺旋部材を拡張させるために前記外側部材の遠位端に向かって前記内側部材の遠位端が案内される第３位置に移動可能であり、拡張螺旋形状を画定するために前記バルーンが前記螺旋部材上に重なる、螺旋部材と、を備えることを特徴とする装置。
【請求項１６】
請求項１５に記載の装置において、前記拡張螺旋形状の前記螺旋部材の形状に前記バルーンがほぼ一致するように、前記第３位置に前記内側部材が案内される前に前記バルーンを折り畳むために前記第１内腔と連通する真空源をさらに備えることを特徴とする装置。
【請求項１７】
請求項１５に記載の装置において、前記螺旋部材が前記バルーンの内部内で螺旋状に拡張するように、前記第３位置に前記内側部材が案内される前に前記バルーンを拡張させるために前記第１内腔と連通する膨張媒体源をさらに備えることを特徴とする装置。
【請求項１８】
請求項１７に記載の装置において、前記拡張螺旋形状の前記螺旋形状の形状に前記バルーンがほぼ一致するように、前記第３位置に前記内側部材を案内した後に、前記バルーンは収縮可能であることを特徴とする装置。
【請求項１９】
請求項１７に記載の装置において、前記バルーンの過度の拡張を防止するために前記内側部材が前記第３位置に案内される際に前記バルーンの内部内から流体を解放するために前記第１内腔と連通する安全弁をさらに備えることを特徴とする装置。
【請求項２０】
請求項１５に記載の装置において、前記バルーンの遠位端は、前記内側部材が前記第３位置に移動させられる時に前記バルーンの近位端に向かって案内され、それによって、軸線方向に前記バルーンを圧縮することを特徴とする装置。
【請求項２１】
請求項２０に記載の装置において、前記バルーンが軸線方向に圧縮される際に前記バルーンの過度の拡張を防止するために前記第３位置に前記内側部材が案内される際に前記バルーンの内部内から流体を自動的に解放するために前記第１内腔と連通する安全弁をさらに備えることを特徴とする装置。
【請求項２２】
請求項１５に記載の装置において、前記バルーンはほぼ非弾性の材料を備えることを特徴とする装置。
【請求項２３】
請求項１５に記載の装置において、前記ばね要素の前記近位部分は、前記螺旋部材にコンプライアンスを提供するために前記第１位置に前記内側部材が案内される時に前記ばね要素の近位部分が延びるように相対的に小さなばね定数を有することを特徴とする装置。
【請求項２４】
請求項２３に記載の装置において、前記ばね要素の前記近位部分は、前記ばね要素の前記遠位部分よりも小さいばね定数を有することを特徴とする装置。
【請求項２５】
請求項１５に記載の装置において、前記バルーンの遠位端は内部にばね止めを備えており、前記ばね要素の前記遠位部分は、前記第２位置に向かって前記内側部材を付勢するために前記ばね止めに接触することを特徴とする装置。
【請求項２６】
請求項１５に記載の装置において、前記内側部材上にスライド移動可能に配置されたカラーをさらに備えており、前記ばね要素の前記近位部分は前記カラーに結合されており、及び、前記螺旋部材の前記第２端は前記カラーに結合されており、それによって、前記ばね要素の前記近位部分に前記第２端を結合することを特徴とする装置。
【請求項２７】
請求項１５に記載の装置において、前記バルーンは、前記バルーンの遠位端から遠位に延びる遠位先端を備えており、前記遠位遠端は、前記内側部材が前記出口のシールを向上させるために前記第２位置にある時に前記シール部材及び前記遠位先端の間の表面接触を最大化するように構成されていることを特徴とする装置。
【請求項２８】
請求項１５に記載の装置において、前記シール部材は、テーパ形状の近位端を備えており、前記バルーンは、前記バルーンの遠位端から遠位に延びる遠位先端を備えており、前記遠位先端は、前記シール部材の前記テーパ形状の近位端を内部に受け入れるために前記バルーンから外側に離れて広がるように偏向されることを特徴とする装置。
【請求項２９】
請求項１５に記載の装置において、前記シール部材は、テーパ形状の近位端を備えており、前記バルーンは前記バルーンの遠位端から遠位に延びる遠位先端を備えており、前記遠位先端は、前記第２位置で内部に前記シール部材の前記テーパ形状の近位端を受け入れるために前記遠位先端が弾性的に拡張するように可撓性材料を備えることを特徴とする装置。
【請求項３０】
請求項２９に記載の装置において、前記遠位先端は、前記バルーンの出口から前記シール部材を離れるように移動させるために前記第２位置から前記第１位置に前記内側部材が案内される時にその原形のサイズに向かって弾性的に復帰するように構成されていることを特徴とする装置。
【請求項３１】
請求項１５に記載の装置において、前記内側部材は、前記内側部材の遠位端から前記シール部材を越えて遠位に延びる湾曲した遠位先端を備えており、前記遠位先端は、細長部材が前記内側部材及び前記遠位先端を通って導入される時に前記遠位先端がほぼ真っ直ぐにされるように弾性的に可撓性を有しており、前記遠位先端は、前記細長部材が前記遠位先端から除去される時にその湾曲した形状に向かって弾性的に復帰することを特徴とする装置。
【請求項３２】
請求項１５に記載の装置において、前記バルーンの遠位端と前記第２位置の前記シール部材との間の摩擦を低減するために前記バルーンの遠位端の少なくとも一部の内面上に被覆をさらに備えることを特徴とする装置。
【請求項３３】
請求項１５に記載の装置において、前記シール部材は、前記内側部材の遠位端から延びる円錐頭を備えており、前記円錐頭は、傾斜した遠位先端を有することを特徴とする装置。
【請求項３４】
請求項１５に記載の装置において、前記外側部材の近位端上のハンドルと、前記バルーンの出口を開放するために前記第２位置及び前記第１位置の間で前記内側部材を案内する、及び、前記螺旋部材を拡張するために前記第３位置に前記内側部材を案内する前記ハンドル上のアクチュエータと、を備えることを特徴とする装置。
【請求項３５】
請求項３４に記載の装置において、前記ばね要素は、前記アクチュエータが解放さされる時に前記第１位置から前記第２位置に前記内側部材を自動的に案内するように付勢されることを特徴とする装置。
【請求項３６】
請求項３４に記載の装置において、前記アクチュエータは、前記第２位置から前記第１位置に前記内側部材を案内するために前記ばね要素の前記付勢を克服するように構成されることを特徴とする装置。
【請求項３７】
請求項３４に記載の装置において、前記内側部材は、細長部材を受け入れるために前記内側部材の近位端及び遠位端の間で延びる第２内腔を備えており、前記ハンドルは、前記第２内腔内に受け入れられた細長部材の一部を固定するために前記ハンドルの外面上に保持装置を備えることを特徴とする装置。
【請求項３８】
体の管腔を処置する装置であって、
ハンドルを備える近位端、体の管腔内への導入のためのサイズを有する遠位端、並びに、前記近位端及び前記遠位端の間で延びる第１内腔、を有する細長の外側部材と、
前記外側部材の遠位端に固定される近位端、及び、出口を備える遠位端、を備える拡張可能なバルーンであって、前記第１内腔及び当該バルーンの出口と連通する内部を備える、バルーンと、
前記第１内腔内にスライド移動可能に配置される内側部材であって、前記外側部材の近位端に隣接する遠位端、前記バルーンの出口から延びる遠位端、及び、前記内側部材の遠位端上のシール部材、を備える内側部材と、
前記第１内腔を通って導入された流体が前記バルーンの内部を通って前記バルーンの出口から流出するように前記バルーンの出口から間隔を空けて前記シール部材が配置される第１位置と、前記第１内腔を通って導入された前記流体が、前記バルーンを拡張させるために前記バルーンの内部に流入するように前記バルーンの出口を前記シール部材が実質的にシールする第２位置と、の間で前記内側部材を移動させるために前記内側部材に結合されるハンドル上の第１アクチュエータと、
前記内側部材の遠位端に結合される遠位端及び前記遠位端の近位に配置される近位端を備え、前記バルーンの内部内で前記内側部材周りに螺旋状に延びる螺旋部材と、
前記螺旋部材を軸線方向に圧縮して半径方向外側に拡張させるように前記螺旋部材の近位端を遠位に移動させるために前記螺旋部材の前記近位端に結合される前記ハンドル上の第２アクチュエータと、を備えることを特徴とする装置。
【請求項３９】
請求項３８に記載の装置において、前記第２位置に向かって前記内側部材を付勢するために前記バルーンの内部内に少なくとも部分的に配置されるばね要素をさらに備えることを特徴とする装置。
【請求項４０】
請求項３８に記載の装置において、前記螺旋部材が前記バルーンの内部内で実質的に妨げられないで拡張するように前記螺旋部材を拡張させるために前記第２アクチュエータを始動させる前に前記バルーンを拡張させるための膨張媒体源をさらに備えることを特徴とする装置。
【請求項４１】
請求項４０に記載の装置において、拡張螺旋形状を採用するために前記螺旋部材の形状に前記バルーンがほぼ一致するように前記螺旋部材を拡張させた後に前記バルーンを折り畳むために前記第１内腔と連通する真空源をさらに備えることを特徴とする装置。
【請求項４２】
請求項４１に記載の装置において、前記注入媒体源及び前記真空源は、前記バルーンを拡張させる及び折り畳むために前記バルーンの内部内に流体を運搬する及び前記バルーンの内部から流体を除去するための注射器を備えることを特徴とする装置。
【請求項４３】
請求項３８に記載の装置において、前記バルーンの内部内で前記内側部材に固定される中間部分、前記中間部分から近位に延びて前記螺旋部材の遠位端に結合される近位部分、及び、前記中間部分から遠位に延びる遠位部分、を有するばね要素をさらに備え、前記遠位部分は前記バルーンの遠位端に結合され、それによって、前記第２位置に向かって前記内側部材を付勢することを特徴とする装置。
【請求項４４】
請求項４３に記載の装置において、前記ばね要素の前記近位部分は、前記螺旋部材にコンプライアンスを提供するために前記第１位置に前記内側部材が案内される時に前記ばね要素の前記近位部分が延びるように相対的に低いばね定数を有することを特徴とする装置。
【請求項４５】
請求項４３に記載の装置において、前記ばね要素の前記近位部分は、前記ばね要素の前記遠位部分よりも小さいばね定数を有することを特徴とする装置。
【請求項４６】
請求項４３に記載の装置において、前記バルーンの遠位端は内部にばね止めを備えており、前記ばね要素の前記遠位部分は、前記第２位置に向かって前記内側部材を付勢するために前記ばね止めに接触することを特徴とする装置。
【請求項４７】
請求項４３に記載の装置において、前記内側部材上にスライド移動可能に配置されたカラーをさらに備えており、前記ばね要素の前記近位部分は前記カラーに結合され、及び、前記螺旋部材の前記第２端は前記カラーに結合され、それによって、前記ばね要素の前記近位部分に前記第２端を結合することを特徴とする装置。
【請求項４８】
体の管腔を処置する装置であって、
近位端、体の管腔内への導入のためのサイズを有する遠位端、並びに、前記近位端及び前記遠位端の出口の間で延びる第１内腔、を有する細長の外側部材と、
前記第１内腔内にスライド移動可能に配置されて、前記外側部材の近位端及び前記出口の間で前記外側部材及び前記内側部材の間に環状内腔が画定されるように前記第１内腔よりも小さな断面を有する内側部材であって、前記外側部材の近位端に隣接する近位端、及び、前記外側部材の遠位端に隣接する遠位端、を備える内側部材と、
前記外側部材の遠位端に固定される近位端、及び、前記近位端の遠位で前記外側部材の遠位端に固定される遠位端、を備える拡張可能なバルーンであって、前記外側部材の遠位端の１以上の開口を介して前記第１内腔に連通する内部を備えるバルーンと、
前記内側部材の遠位端上のシール部材であって、前記第１内腔を通って導入された流体が前記出口から流出するように前記出口から間隔を空けて前記シール部材が配置される第１位置と、前記第１内腔を通って導入された流体が、前記バルーンを拡張させるために前記バルーンに流入するように前記出口を前記シール部材が実質的にシールする第２位置、の間で前記内側部材が移動可能である、シール部材と、
前記第２位置に向かって前記内側部材を付勢するために前記バルーンの遠位端のばね止め及び前記内側部材の遠位端の間のばね要素と、を備えることを特徴とする装置。
【請求項４９】
請求項４８に記載の装置において、前記外側部材の近位端上のハンドルと、前記バルーンの出口を開放するために前記第２位置から前記第１位置に前記内側部材を案内するための前記ハンドル上のアクチュエータと、をさらに備えることを特徴とする装置。
【請求項５０】
請求項４９に記載の装置において、前記ばね要素は、前記アクチュエータが解放された時に前記第１位置から前記第２位置に前記内側部材を自動的に案内するように付勢されることを特徴とする装置。
【請求項５１】
体の管腔を処置する装置であって、
近位端、体の管腔内への導入のためのサイズを有する遠位端、並びに、前記近位端及び前記遠位端の間で延びる第１内腔を有する外側部材と、
前記外側部材の遠位端に固定される近位端、及び、出口を備える遠位端、を備える拡張可能なバルーンであって、前記第１内腔及び前記バルーンの出口と連通する内部を備えるバルーンと、
前記第１内腔内にスライド移動可能に配置される内側部材であって、前記外側部材の近位端に隣接する近位端、及び、前記バルーンの出口から延びる遠位端、を備える内側部材と、
前記内側部材の遠位端上のシール部材であって、前記第１内腔を通って導入された流体が前記バルーンの内部を通って前記バルーンの出口から流出するように前記バルーンの出口から前記シール部材が間隔を空けて配置される第１位置と、前記第１内腔を通って導入された流体が、前記バルーンを拡張させるために前記バルーンの内部に流入するように前記バルーンの出口を前記シール部材が実質的にシールする第２位置と、の間で前記内側部材が移動可能である、シール部材と、を備え、
前記バルーンは、前記バルーンの遠位端から遠位に延びる遠位先端を備えており、前記遠位先端は、前記出口のシールを向上させるために前記内側部材が第２位置にある時に前記シール部材及び前記遠位先端の間の表面接触を最大化するように構成されることを特徴とする装置。
【請求項５２】
請求項５１に記載の装置において、前記外側部材の近位端上のハンドルと、前記バルーンの出口を開放するために前記第２位置から前記第１位置に前記内側部材を案内する前記ハンドル上のアクチュエータと、をさらに備えることを特徴とする装置。
【請求項５３】
請求項５１に記載の装置において、前記バルーンの遠位端のばね止めの間で前記バルーンの内部内少なくとも部分的にあるばね要素であって、前記第２位置に向かって前記内側部材を付勢するために前記内側部材の遠位端に結合されるばね要素をさらに備えることを特徴とする装置。
【請求項５４】
請求項５３に記載の装置において、前記ばね要素は、前記アクチュエータが解放された時に前記第１位置から前記第２位置に前記内側部材を自動的に案内するように付勢されることを特徴とする装置。
【請求項５５】
請求項５１に記載の装置において、前記シール部材は、テーパ形状の近位端を備え、前記バルーンは、前記バルーンの遠位端から遠位に延びる遠位先端を備え、前記遠位先端は、前記シール部材の前記テーパ形状の近位端を内部に受け入れるように前記バルーンから外側に広がるように偏向されることを特徴とする装置。
【請求項５６】
請求項５１に記載の装置において、前記シール部材は、テーパ形状の近位端を備え、前記バルーンは、前記バルーンの遠位端から遠位に延びる遠位先端を備え、前記遠位先端は、当該遠位先端が前記第２位置の前記シール部材の前記テーパ形状の近位端を内部に受け入れるように弾性的に拡張するように可撓性材料を備えることを特徴とする装置。
【請求項５７】
請求項５６に記載の装置において、前記遠位先端は、前記バルーンの出口から離れるように前記シール部材を移動させるために前記第２位置から前記第１位置に前記内側部材が案内される時にその原形のサイズに向かって弾性的に復帰するように構成されることを特徴とする装置。
【請求項５８】
請求項５１に記載の装置において、前記内側部材は、前記シール部材を越えて前記内側部材の遠位端から遠位に延びる湾曲した遠位先端を備え、前記遠位先端は、細長部材が前記内側部材及び前記遠位先端を通って導入される時に前記遠位先端がほぼ真っ直ぐにされるように弾性的に可撓性を有しており、前記遠位先端は、前記細長部材が前記遠位先端から除去される時にその湾曲した形状に向かって弾性的に復帰することを特徴とする装置。
【請求項５９】
請求項５１に記載の装置において、前記バルーンの遠位端及び前記第２位置の前記シール部材の間の摩擦を低減するために前記バルーンの遠位端の少なくとも一部の内面上に被覆をさらに備えることを特徴とする装置。
【請求項６０】
請求項５１に記載の装置において、前記シール部材は、前記内側部材の遠位端から延びる円錐頭を備え、前記円錐頭は、傾斜した遠位先端を有することを特徴とする装置。
【請求項６１】
体の管腔を処置する装置であって、
近位端、体の管腔内への導入のためのサイズを有する遠位端、及び、前記近位端及び前記遠位端の出口の間で延びる第１内腔、を有する外側部材と、
前記第１内腔内にスライド移動可能に配置される内側部材であって、前記外側部材の近位端に隣接する近位端、及び、前記外側部材の遠位端を越えて遠位に延びる遠位端、を備える内側部材と、
１以上の通路を備える前記内側部材の遠位端上のシール部材と、
前記シール部材を越えて遠位で前記内側部材の遠位端に固定される遠位端、及び、前記バルーンの内部が１以上の通路と連通するように前記シール部材に固定される近位端、を備える拡張可能なバルーンと、を備え
前記内側部材は、前記第１内腔を通って導入された流体が前記出口を通って前記装置周りの領域内に流入するように前記外側部材の前記出口から前記シール部材が間隔を空けて配置される第１位置と、前記第１内腔を通って導入された流体が、前記バルーンを拡張させるために前記１以上の通路を通って前記バルーンの内部に流入するように前記シール部材が前記出口を実質的にシールする第２位置、の間で移動可能であることを特徴とする装置。
【請求項６２】
請求項６１に記載の装置において、前記第２位置に向かって前記内側部材を付勢するために前記内側部材及び前記外側部材の間に結合されるばね要素をさらに備えることを特徴とする装置。
【請求項６３】
請求項６１に記載の装置において、前記外側部材の近位端上のハンドルと、前記バルーンの出口を開放するために前記第２位置から前記第１位置に前記内側部材を案内する前記ハンドル上のアクチュエータと、をさらに備えることを特徴とする装置。
【請求項６４】
請求項６１に記載の装置において、前記内側部材は、細長部材を受け入れるために前記内側部材の近位端及び遠位端の間で延びる第２内腔を備えることを特徴とする装置。
【請求項６５】
請求項６１に記載の装置において、前記シール部材は、前記第２位置の前記外側部材の前記出口内に前記シール部材を着座させることを向上させるためのテーパ形状の近位端を備えることを特徴とする装置。
【請求項６６】
請求項６１に記載の装置において、前記外側部材の遠位端に結合される第１端、及び、前記内側部材の遠位端に結合される第２端、を備える螺旋部材であって、前記バルーンの内部内で前記内側部材周りに螺旋状に延びる螺旋部材をさらに備え、前記内側部材は、半径方向外側に前記螺旋部材を拡張させるために第３位置に遠位に移動可能であり、前記バルーンは、拡張螺旋形状を画定するために前記螺旋部材に重なることを特徴とする装置。